(57)【要約】【課題】電子カメラにおいて大型化を防止しつつ撮像素子の温度上昇を抑えることを可能にした放熱構造を提供すること。【解決手段】羽根（１７３）とファンカバー（１７１）から構成されるファン（１７）と、三脚固定用のネジ部（２１１）を有するボトムベースプレート（２１）を有する撮像装置において、前記羽根（１７３）は前記ネジ部（２１１）の周囲を回転するように配置され、前記ファンカバー（１７１）は前記ボトムベースプレート（２１）へ固定するための固定部材（１６）を除いて、前記ファンカバー（１７１）の下端部の全周で前記ボトムベースプレート（２１）と隙間（１８）が設けられていることを特徴とする。【選択図】図４
2017102362.tif 000002
【特許請求の範囲】
【請求項１】
ファンカバー１７１とモーター１７２と羽根１７３と出口部１７４から構成されるファン１７と、三脚固定用のネジ部２１１を有するボトムベースプレート２１を備えた撮像装置において、
前記羽根１７３は前記ネジ部２１１の周囲を回転するように配置され、前記ファンカバー１７１は前記ボトムベースプレート２１へ固定するための固定部材１６を除いて、前記ファンカバー１７１の下端部の全周で前記ボトムベースプレート２１と隙間が設けられていることを特徴とする撮像装置。
【請求項２】
ファンカバー１７１とモーター１７２と羽根１７３と出口部１７５から構成されるファン１７と、三脚固定用のネジ部２１１に開口を有するボトムベースプレート２１を備えた撮像装置において、
前記羽根１７３は前記ネジ部２１１の周囲を回転するように配置され、前記ファンカバー１７１の下端部の全周で前記ボトムベースプレート２１との隙間がないことを特徴とする撮像装置。
【請求項３】
前記撮像装置は前記ファンカバー１７１の側面に出口部１７４または出口部１７５を有し、前記出口部１７４または出口部１７５は被写体側に配置されることを特徴とする請求項１又は請求項２に記載の撮像装置。
【請求項４】
前記ファンカバー１７１は前記ボトムベースプレート２１に固定されることを特徴とする請求項３に記載の撮像装置。
【請求項５】
前記モーター１７２は前記ボトムベースプレート２１と前記ファンカバー１７１の間に配置されることを特徴とする請求項４に記載の撮像装置。
【請求項６】
前記ファン１７は前記羽根１７３と前記ボトムベースプレート２１のネジ部２１１の側面との間にベアリング１９を備えることを特徴とする請求項５に記載の撮像装置。
【請求項７】
前記ボトムベースプレート２１と前記羽根１７３の下端部の距離１８１は前記ボトムベースプレート２１と前記ファンカバー１７１の下端部の距離１８２よりも大きいことを特徴とする請求項６に記載の撮像装置。
【請求項８】
前記モーター１７２は羽根１７３を回転させるための軸１７６を備え、前記軸１７６はボトムベースプレート２１のネジ部２１１に固定されることを特徴とする請求項７に記載の撮像装置。
【請求項９】
前記出口部１７５は撮像装置筐体の外部まで連通していることを特徴とする請求項２に記載の撮像装置。
【発明の詳細な説明】
【技術分野】
【０００１】
本発明は、被写体像を撮像素子で撮像する電子カメラに関する。
【背景技術】
【０００２】
従来、ＣＣＤ、ＣＭＯＳ等の撮像素子を備える電子カメラは、撮影レンズの透過光束を撮像素子で受光し、その光電変換出力に基づいて画像データを得て、その得た画像データを表示する液晶ディスプレイを備えている。また、撮像素子で得られた動画データはＣＰＵに代表される各種電子回路素子で処理される。
【０００３】
近年、一眼レフレックス型デジタルカメラでは動画機能が備わっており、動画機能を作動させる際には前記液晶ディスプレイは点灯状態となる上に、前記電子回路素子では処理を行い続ける事により発熱量が増大する傾向にある。熱により前記撮像素子は暗電流が発生し、画像ノイズの原因となるだけではなく、電子カメラの外装部材全体若しくは局所的に温度が上昇し撮影者に違和感を抱かせる可能性があり、放熱対策が必要である。
【０００４】
放熱対策として、特許文献１によると、ファン及び空気循環路を電子カメラ内部に設け、放熱孔と放熱部材を電子カメラ底面に設け、空気を循環させる事で撮像素子の熱を底面へ運び、底面から排熱する提案が開示されている。また、特許文献２によると、カメラの背面側に吸入口、インターフェース側に排出口をそれぞれ設ける事で、撮像素子と駆動用回路基板を冷却する提案が開示されている。
【先行技術文献】
【特許文献】
【０００５】
【特許文献１】特開２００９−０７１７２２号公報
【特許文献２】特開２００８−１２１４０２号公報
【発明の概要】
【発明が解決しようとする課題】
【０００６】
しかしながら、上述の特許文献１に開示された従来技術では、撮像素子、駆動用回路、カメラ底面を連通する循環路をカメラ内に設ける必要があり、小型化には限界がある。また、上述の特許文献２に開示された従来技術では、駆動用回路基板と背面外装の間に流路を配置するスペースを設ける必要があり、特許文献１同様に小型化には限界がある。
【０００７】
そこで、本発明の目的は、電子カメラにおいて、筐体を大型化させず、撮像素子に代表される各種電子回路素子による電子カメラの温度の上昇を抑える事を可能とする放熱構造を提供することにある。
【課題を解決するための手段】
【０００８】
上記の目的を達成するために、本発明に係る撮像装置は、
ファンカバーとモーターと羽根と出口部から構成されるファンと、三脚固定用のネジ部を有するボトムベースプレートを備えた撮像装置において、前記羽根は前記ネジ部の周囲を回転するように配置され、前記ファンカバーは前記ボトムベースプレートへ固定するための固定部材を除いて、前記ファンカバーの下端部の全周で前記ボトムベースプレートと隙間が設けられていることを特徴とする。
【発明の効果】
【０００９】
本発明に係る撮像装置によれば、ファンはファンカバー、モーター、羽根、出口部から構成され、ファンカバーはボトムベースプレートの上面に固定用の足を除き、全周で隙間が空くように配置され、羽根はボトムベースプレートの三脚ネジ部の周囲かつファンカバーの内側に配置され、出口部は被写体側に配置される。これにより、カメラの高さ方向の寸法が増す事を防ぎつつ、ボトムベースプレートに伝熱された発熱源の熱を被写体側に排出する事で、カメラの内部温度を低下させることができる。また、ファンカバーがボトムベースプレートの上面に全周で隙間なく配置される場合は、ボトムベースプレートのネジ部の天板に開口を設け、カメラ外部にまで連通する出口部を被写体側へ設けることで、カメラ内を閉空間とする事ができ、防塵防滴性能を保ちつつ、カメラの内部温度を低下させることができる。
【図面の簡単な説明】
【００１０】
【図１】本発明の実施例１に適用できるカメラの正面斜視図と正面図
【図２】本発明の実施例２に適用できるカメラの正面斜視図と正面図
【図３】本発明に適用できるカメラの背面斜視図
【図４】本発明の実施例１に適用できるカメラのＸ方向断面図と分解斜視図
【図５】本発明の実施例２に適用できるカメラのＸ方向断面図と分解斜視図
【図６】本発明の実施例１の風漏れ防止構成に適用できるカメラのＸ方向断面図
【図７】本発明の実施例１のガタ抑制構成に適用できるカメラのＸ方向断面図
【図８】本発明の実施例２のガタ抑制構成に適用できるカメラのＸ方向断面図
【発明を実施するための形態】
【００１１】
以下に、本発明の好ましい実施の形態を、添付の図面に基づいて詳細に説明する。
【実施例１】
【００１２】
図１、３、４（ａ）を参照して、本発明の第１の実施例の主な構成を説明する。
【００１３】
図１はカメラ１の外観図を示したもので、図１（ａ）は正面斜視図、図１（ｂ）は正面図、図３は背面斜視図をそれぞれ示している。図４（ａ）は図１（ｂ）中のａ−ａ断面図である。
【００１４】
１はカメラ本体で、フロントカバー２、ストロボカバー３、トップカバー４、バックカバー５、ミラーボックス６及び不示図のフレームで構成される。カメラ本体１にはミラーボックス６に取り付けられたマウント７を介して不図示の撮影レンズが着脱可能である。
【００１５】
クイックリターンミラー８はハーフミラーになっており、クイックリターンミラー８の背面にはサブミラー８１が配置され、ミラーボックス６の下部に配置された位相差検出ユニット２５へ導光し、被写体像が合焦検出される。被写体観察時、撮影レンズから取り込まれた被写体光束は、クイックリターンミラー８により反射されて、ペンタプリズム１０に入射し、その後接眼レンズ系１１を介して撮影者観察像となる。ペンタプリズム１０、接眼レンズ系１１でファインダー光学系を形成している。また、レリーズスイッチ２４を押下すると、クイックリターンミラー８とサブミラー８１が跳ね上がる事で被写体光束は撮像素子１２に結像される。
【００１６】
１３は撮像回路基板で、撮像素子１２とアナログ信号をデジタル信号に変換する不図示のＡＤ変換素子が実装されている。１４は撮像された画像の処理や、カメラの動作を司る不図示のＣＰＵが実装されたメイン基板である。１５は撮像素子１２で撮像した画像を表示する液晶ディスプレイである。カメラの底面には三脚を固定するためのネジ部２１１を備えた、ボトムベースプレート２１が配置されている。
【００１７】
ボトムベースプレート２１は剛性の高いステンレス材料から成形されるが、熱伝導性の高いアルミニウム材料で形成してもよい。２０は撮像素子から発生する熱をボトムベースプレート２１へ伝熱する伝熱部材である。伝熱部材２０はグラファイトシートまたは熱伝導性の高い金属板から形成される。１７はファンユニットである。ファンユニット１７とボトムベースプレート２１の構成については後述する。
【００１８】
次に図４（ｂ）、４（ｃ）を用いて、ファンユニット１７とボトムベースプレート２１の構成に関して説明する。
【００１９】
図４（ｂ）は図４（ａ）中の一点鎖線部Ａで囲った部品の分解斜視図であり、図４（ｃ）は図４（ａ）中の一点鎖線部Ａの拡大図である。
【００２０】
カメラの高さ方向の寸法が増す事を防止するために、羽根１７３はボトムベースプレート２１のネジ部２１１の周囲を回転するように配置される。モーター１７２はボトムベースプレート２１のネジ部２１１とファンカバー１７１の間に設けられ、羽根１７３を駆動させる。羽根１７３、ファンカバー１７１は軽量化のために樹脂材料にて成形される事が好ましい。モーター１７２を羽根１７３とファンカバー１７１の間の空間に配置する事でモーター１７２の駆動音をファンカバー１７１により遮蔽する事ができる。
【００２１】
ファンカバー１７１はボトムベースプレート２１に設けた不図示の穴へ、かしめて固定するための固定部材１６を除いて、ファンカバー１７１の下端全周でボトムベースプレート２１と隙間１８が空くように固定される。これにより、ファンカバー１７１とボトムベースプレート２１との隙間１８から空気を吸入することで、撮像回路基板１３の熱が熱伝導部材２０によって伝熱されたボトムベースプレート２１を冷却する事ができる。吸入した空気はファンカバー１７１の側面に設けられた出口部１７４から排出されるが、カメラの被写体側に排出される事で熱風がユーザーへ当たりやけどする事を防止できる。
【００２２】
次に図６を参照して、ファンユニット１７とボトムベースプレート２１との位置関係に関して説明をする。
【００２３】
ボトムベースプレート２１の上面と羽根１７３下端部の距離１８１をボトムベースプレート２１の上面とファンカバー１７１下端部の距離１８２よりも大きくする。これにより、ファンユニット１７内に取り込んだ風を外部へ流出する事を防ぐ事ができる。
【００２４】
次に、図７を参照して、ファンユニット１７の羽根１７３と、ボトムベースプレート２１の円筒状のネジ部２１１との干渉を抑制する構成に関して説明をする。
【００２５】
羽根１７３はボトムベースプレート２１のネジ部２１１の周囲を回転するように配置される。モーター１７２は羽根１７３を回転させるための軸１７６を備えており、軸１７６の先端はボトムベースプレート２１のネジ部２１１の円筒の中心で支えられる。また、羽根１７３とボトムベースプレート２１のネジ部２１１の側面との間にベアリング１９を備える事でガタを防止できる。
【００２６】
以上、２つの構成から、撮影者がカメラを縦位置で撮影する際や、流し撮りのように撮影者がカメラへ急な加速度を与える場合でも、羽根１７３がネジ部２１１と干渉する事を抑制する事ができる。
【実施例２】
【００２７】
図２、３、５（ａ）、５（ｂ）、５（ｃ）を参照して、本発明の第２の実施例の構成を説明する。
【００２８】
図２（ａ）は正面斜視図、図２（ｂ）は正面図、図３は背面斜視図をそれぞれ示している。図５（ａ）は図２（ｂ）中のａ−ａ断面図であり、図５（ｂ）は図５（ａ）中の破線で囲った部品の分解斜視図であり、図５（ｃ）は図５（ａ）中の破線部Ｂの拡大図である。また、特記なき部分は実施例１と同等である。
【００２９】
本実施例では、ファン１７はファンカバー１７１、モーター１７２、羽根１７３、出口部１７５から構成され、カメラの高さ方向の寸法が増す事を防止するために、羽根１７３はボトムベースプレート２１のネジ部２１１の周囲を回転するように配置される。本実施例では、ファンカバー１７１はボトムベースプレートのネジ部２１１の天面を覆うようにボトムベースプレート２１と密閉する。ボトムベースプレート２１はネジ部２１１に開口２１２を有しており、開口２１２から空気を吸入しながらボトムベースプレート２１を冷却する事ができる。そして、吸入した空気はファンカバー１７１の側面に設けられた出口部１７５、マウント７に設けた開口７１を通り不図示のレンズ空間へ排出される。開口７１をレンズ側へ設けずに直接外部へと排出させてもよい。その際、被写体側へ排出される事で熱風が撮影者へ当たる事を防止できる。以上の構成により、カメラ内部を閉空間とする事ができ、カメラの防塵防滴性能を保ちながらカメラの内部温度を低下させる事ができる。
【００３０】
図８を参照して、ファンユニット１７の羽根１７３と、ボトムベースプレート２１のネジ部２１１との干渉を抑制する構成に関して説明をする。
【００３１】
羽根１７３とボトムベースプレート２１のネジ部２１１の側面との間にベアリング１９を備える事でガタを防止できる。これにより、撮影者がカメラを縦位置で撮影する際や、流し撮りのように撮影者がカメラへ急な加速度を与える場合でも、羽根１７３がネジ部２１１と干渉する事を抑制する事ができる。
【００３２】
以上、本発明の好ましい実施形態について説明したが、本発明はこれらの実施形態に限定されず、その要旨の範囲内で種々の変形及び変更が可能である。
【符号の説明】
【００３３】
１  カメラ本体、２  フロントカバー、３  ストロボカバー、５  バックカバー、
６  ミラーボックス、７  マウント、８  クイックリターンミラー、８１  サブミラー、
１０  ペンタプリズム、１１  接眼レンズ系、１２  撮像素子、１３  撮像回路基板、
１４  メイン基板、１５  液晶ディスプレイ、１６  ファンカバーの固定部材、
１７  ファンユニット、１７１  ファンカバー、１７２  ファンモーター、
１７３  羽根、１７４  出口部、１８  隙間、２０  熱伝導部材、
２１  ボトムベースプレート、２１１  ネジ部、２１２  開口、
２５  位相差検出ユニット
【図１】
2017102362.tif 000003
【図２】
2017102362.tif 000004
【図３】
2017102362.tif 000005
【図４】
2017102362.tif 000006
【図５】
2017102362.tif 000007
【図６】
2017102362.tif 000008
【図７】
2017102362.tif 000009
【図８】
2017102362.tif 000010